(57)【要約】      （修正有）【課題】伸縮機能を有する伸縮部材と紐状の部材を使用して、その張力に依り立体的に足腰の筋肉をトレーニングする器具を提供する。【解決手段】足置き部材と伸縮部材から構成されており、足置き部が足置き部材の底部から２０ｃｍ以内の高さに形成されており、更に足置き部材には少なくとも一箇所以上の伸縮部材取り付け部と伸縮部材取り付け部から或る距離を有した少なくとも一箇所以上、或る方向に伸張する面を有する方向変換部が形成されている。伸縮部材には其の先方に紐状又は帯状又は鎖状又は其の他の形状の或る長さを有し、自体では伸縮機能を有さない連結部材が形成されており、伸縮部材取り付け部に取り付けられる。更に、連結部材には足掛け部が形成されおり、該足掛け部は伸縮部材が伸びていない状態の時、連結部材の上において、伸縮部材取り付け部を基点として、方向変換部から先方に５０ｃｍ伸張した箇所を最長とし、それ以内に形成されている。【選択図】図１
2008264472.tif 000002
【特許請求の範囲】
【請求項１】
先ずは、足置き部材と伸縮部材から構成されており、足置き部材には足を乗せる足置き部が形成されている。其の際、足置き部は足置き部材の底部から２０ｃｍ以内の高さに形成されており、更に足置き部材には少なくとも一箇所以上の伸縮部材取り付け部と伸縮部材取り付け部から或る距離を有した箇所に、少なくとも一箇所以上、或る方向に伸長する面を有する方向変換部が形成されている。伸縮部材は自体で伸縮機能を有しており、該伸縮部材には其の先方に紐状又は帯状又は鎖状又は其の他の形状の或る長さを有し、自体では伸縮機能を有さない連結部材が形成されており、伸縮部材取り付け部に取り付けられる。更に、連結部材には足掛け部が形成されており、該足掛け部は伸縮部材が伸びていない状態の時、連結部材の上において、伸縮部材取り付け部を基点として、方向変換部から先方に５０ｃｍ伸長した箇所を最長とし、それ以内に形成されていることを特徴とする筋肉トレーニング器。
【請求項２】
足置き部と方向変換部との端部間隔が２０ｃｍ以上であることを特徴とする請求項１に記載の筋肉トレーニング器。
【請求項３】
足掛け部を環状に形成したことを特徴とする請求項１〜２のいずれかに記載の筋肉トレーニング器。
【請求項４】
伸縮部材を帯状の硬質のバネ材で形成したことを特徴とする請求項１〜３のいずれかに記載の筋肉トレーニング器
【請求項５】
伸縮部材をコイル状の硬質のバネ材で形成したことを特徴とする請求項１〜４のいずれかに記載の筋肉トレーニング器。
【請求項６】
伸縮部材を紐状又は帯状の軟質のゴム材で形成したことを特徴とする請求項１〜５のいずれかに記載の筋肉トレーニング器。
【発明の詳細な説明】
【技術分野】
【０００１】  本発明は足腰の筋肉を鍛えるための筋肉トレーニング器に関する。
【背景技術】
【０００２】従来、足腰の筋肉を鍛え贅肉を取り、身体をスリムにするための器具は色々提供されている。それらはツイスト運動を取り入れた足踏み運動器具や、室内で使用する自転車のペダル漕ぎ器や馬の鞍状の椅子に座り、それを機械で揺り動かす器具などであるが、それらの器具は運動の範囲が身体の部分的な箇所に限定されるものが多く、足腰を全体に亘り立体的にトレーニングできるものは無かった。
【発明が解決しようとする課題】
【０００３】  本発明は、足腰の筋肉を、紐状の部材とそれに取り付けた伸縮機能を有する部材の張力を利用して、足腰を全体に亘り立体的にトレーニングする器具を提供することを課題とする。
【課題を解決するための手段】
【０００４】  上記課題を解決する為に、本発明は次ぎの如き筋肉トレーニング器を提供する。
１、先ずは、足置き部材と伸縮部材から構成されており、足置き部材には足を乗せる足置き部が形成されている。其の際、足置き部は足置き部材の底部から２０ｃｍ以内の高さに形成されており、更に足置き部材には少なくとも一箇所以上の伸縮部材取り付け部と伸縮部材取り付け部から或る距離を有した箇所に、少なくとも一箇所以上、或る方向に伸長する面を有する方向変換部が形成されている。伸縮部材はそれ自体が伸縮機能を有しており、該伸縮部材には其の先方に紐状又は帯状又は鎖状又は其の他の形状の或る長さを有し、自体では伸縮機能を有さない連結部材が形成されており、伸縮部材取り付け部に取り付けられる。更に、連結部材には足掛け部が形成されており、該足掛け部は伸縮部材が伸びていない状態の時、連結部材の上において、伸縮部材取り付け部を基点として、方向変換部から先方に５０ｃｍ伸長した箇所を最長とし、それ以内に形成されていることを特徴とする筋肉トレーニング器。
２、足置き部と方向変換部との端部間隔が２０ｃｍ以上であることを特徴とする上記第１項に記載の筋肉トレーニング器。
３、足掛け部を環状に形成したことを特徴とする上記第１〜２項のいずれかに記載の筋肉トレーニング器。
４、伸縮部材を帯状の硬質のバネ材で形成したことを特徴とする上記第１〜３項のいずれかに記載の筋肉トレーニング器。
５、伸縮部材をコイル状の硬質のバネ材で形成したことを特徴とする上記第１〜４項のいずれかに記載の筋肉トレーニング器。
６、伸縮部材を紐状又は帯状の軟質のゴム材で形成したことを特徴とする上記第１〜５項のいずれかに記載の筋肉トレーニング器。
【発明実施の形態】
【０００５】  以下、図面を参照しながら本発明の各種態様に係る筋肉トレーニング器に関して説明する。以下の説明は、本発明の技術思想を具現化する幾つかの具体例を説明するものであり、本発明は以下の説明に限定されるものでは無い。
【０００６】  図１は本発明の一態様に係る筋肉トレーニング器を示す斜視図（ａ）と側面図（ｂ）である。図１に示す筋肉トレーニング器は先ずは、足置き部材１の部分と伸縮部材２の部分から構成されている。足置き部材１には足を乗せる為の足置き部３と伸縮部材２を取り付ける為の、伸縮部材取り付け部４と引き伸ばす運動方向を変換する方向変換部５が形成されている。伸縮部材２は板状の湾曲した硬質のバネ材で形成されており、其の先方に或る長さを有する紐状の連結部材６が形成されており、更に其の先方に足を掛ける足掛け部７が形成されている。これを使用するには、足置き部３に片足を乗せて立ち、足掛け部７に他片方の足の先を掛け、其の足を任意の方向に引くことで、伸縮部材２の張力に依り立体的な方向への引き伸ばし運動を可能とする。更に、足置き部材１に形成された方向変換部５に連結部材６を宛がい、引き伸ばす方向を変換することに依り、更なる運動の多様化が実現できる。使用方法は以上の如きである
【０００７】  次ぎに各部分の詳細に就いて説明すれば、足置き部材１は足を乗せる足置き部３及び伸縮部材取り付け部４及び方向変換部５を形成するための台座となる母材である。形状及び寸法は任意であり、足置き部３と伸縮部材取り付け部４と方向変換部５を配置、形成できる大きさを有するものであれば良い。実施上、長さは２０ｃｍ以上、幅は１５ｃｍ以上、高さは２０ｃｍ以下が好ましい。材質も任意であるが、実施上はアルミニウム又は硬質ゴム又はプラスチックなどが好ましい。又、異なる材質を複合させたものでも良い。又、足置き部材１は折り畳みができる構造又は分割できる構造であっても良い。又、足置き部材１に手で掴まる為の下方から上方に伸長した棒状の部材を取り付けても良い。
【０００８】  次ぎに足置き部３に就いて説明する。足置き部３は足置き部材１において足を乗せて、本筋肉トレーニング器を使用することができる広さを有す箇所を云う。即ち、足置き部材１において片足を乗せて本筋肉トレーニング器を使用することができる箇所であれば、どこでも足置き部３と見なすことができる。又、足置き部３は足置き部材１の一部分であり、足置き部３を足置き部材１と云うこともできる。形状を限定する必要は無い。又、足置き部３を足置き部材１に複数形成しても良い。実施上、足置き部３は平面的に縦横其々が１０ｃｍ以上の幅を有することが好ましい。１０ｃｍとは足の幅のおおよその寸法である。高さに就いて云えば、本筋肉トレーニング器は通常床面に置いて使用されるものであり、使用する際には足置き部３の上に床面から乗ると云う動作が必須であるため、高さに就いては足置き部材１の底部より２０ｃｍ以内の高さと限定するものである。脚が付いている場合には脚の底部からである。この部分の材質は任意である。又、足置き部３に足を乗せた際に足の裏を押すための指圧用の小突起を複数個形成しても良い。又、足置き部３に体重計や体脂肪測定計などの身体測定器を取り付けても良い。又、足置き部３に乗った時、音楽やリズム音が出るようにしても良い。
【０００９】  次ぎに伸縮部材取り付け部４に就いて説明する。伸縮部材取り付け部４は足置き部材１において伸縮部材２を取り付ける箇所を云う。伸縮部材取り付け部４の形成位置及び形状及び伸縮部材２の取り付け方法は任意である。形状に関して云えば、これは取り付ける伸縮部材２との取り合い方法に依って様々である。取り付け位置に関して云えば、図１においては伸縮部材取り付け部４は足置き部３の横側に棒状に縦に形成されており、それに帯状の湾曲した硬質のバネ材で形成した伸縮部材２の端部が巻かれて取り付けられている。この際、伸縮部材２は伸縮部材取り付け部４に直接に取り付けられているが、別の部材を介して間接に取り付けても良い。又、伸縮部材取り付け部４と伸縮部材２とは一体化させておく必要は無く、使用時に取り付ける構造でも良い。又、実施上、足置き部３と伸縮部材取り付け部４との位置関係は任意であるが、足置き部３の下部に又は足置き部材１の裏部に形成しても良い。これに就いては図２で説明する。足置き部材１において伸縮部材２に直接又は間接に繋属する箇所を伸縮部材取り付け部４と云う。
【００１０】  次ぎに方向変換部５に就いて説明する。方向変換部５は足置き部材１に形成された伸縮部材取り付け部４から或る距離を有して形成されており、使用する際に連結部材６を方向変換部５に宛がい、ここを支点として引き伸ばす方向を変える為のものである。実施上、形状は任意であるが、少なくとも、一箇所以上、縦又は横又は斜めのいずれかの或る任意の方向に伸長し、或る長さの面を有する部材で形成される。図１において方向変換部５は縦方向に伸長する面を有する棒状部材で形成されている。必要に応じて伸長する方向を横又は斜めにすることができる。其の様にすると伸張する面に応じて宛がう方向が変るので、運動方向を多様に変換できる。実施上、伸長する面を任意の方向に湾曲させても構わない。又、環状に形成しても良い。又、ここでは連結部材６を方向変換部５に宛がうと説明したが、伸縮部材２を柔軟性を有する紐状部材で形成した場合には、該伸縮部材２を宛がうことも可能である。
【００１１】  次ぎに伸縮部材２に就いて説明する。伸縮部材２は足を動かす際に張力を発生させる部材である。伸縮部材２はそれ自体の構造及び／又は材質によって伸縮機能を有するものである。図１においては、伸縮部材２は湾曲した帯状の硬質なバネ材で形成されている。そして端部を環状にして伸縮部材取り付け部４に取り付けられており、他片側端部に紐状の連結部材６が取り付けられている。使用時、この連結部材６が足の動きで引かれると、バネに依り張力が発生する。実施上、伸縮部材２の形状には各種の態様が有るので、それらに就いては図４で更に説明する。
【００１２】  次ぎに連結部材６に就いて説明する。連結部材６は伸縮部材２と足先を掛ける足掛け部７を繋ぎ、運動の自在性を生じさせるための部材である。図１に示す連結部材６は紐状の部材で形成されており、伸縮部材２の端部と繋がっている。連結部材６は、それ自体が伸縮性を有するものでは無い。但し、容易に曲がる柔軟性を有している。其のことにより、該連結部材６を方向変換部５に宛がった際、自在に方向を変換できることとなるのである。実施上、連結部材６は帯状又は鎖状又はその他の形状の或る長さを有した部材で形成することができる。或る長さとは方向変換部５に宛がって引く範囲の長さであり、実施上は少なくとも２０ｃｍ以上は必要である。材質は任意であるが、実施上、繊維を編んだものや束ねたもの、又は皮材や軟質の合成樹脂材などが好ましい。太さは断面積で０．１〜１ｃｍ２程度が好ましい。
【００１３】  次ぎに足掛け部７に就いて説明する。足掛け部７は本筋肉トレーニングを使用する際、足先を連結部材６に接続するために、連結部材６の一部分に形成するものである。図１では帯状の部材を環状に形成し、連結部材６の端部に取り付けている。実施上、連結部材６自体を環状に形成しても構わない。形状は任意であり、足の先の甲を掛けられる構造であれば、足掛け部７と見なすことができる。又、足掛け部７は連結部材６に直接取り付けても良いし、他の部材を介して間接に取り付けても良い。又、環状に形成した場合、例えばそれを帯状部材で形成した場合、図１で示す様に環の先方を絞った形状にすると、足先の出し入れが容易となるので好ましい。又、足掛け部７を形成する際には、足掛け部７と方向変換部５との間隔が重要となる。本筋肉トレーニング器を使用する場合、伸縮部材２が伸びていない状態で連結部材６を方向変換部５に宛がった際、方向変換部５と足掛け部７との間隔は狭い方が好ましい。これは方向変換部５と足掛け部７との間隔が狭い方が方向変換部５を支点として使用する場合、動かし始めてから足掛け部７に伸縮部材２の張力を伝えるまでの、張力の支点となる方向変換部５からの動作距離を小さくできるからである。足掛け部７は伸縮部材２が引き伸ばされていない状態で、且つ方向変換部５に宛がった状態で、連結部材６の上において方向変換部５から先方に５０ｃｍ伸長した長さを最長とし、その長さ以内に形成されていることが必要である。この場合、連結部材６が短く、方向変換部５に届かない長さであっても、伸ばして宛がうことができればこの要件の範囲である。このことは即ち、足掛け部７が方向変換部５から離れれば離れるほど、方向変換部５を支点として張力を得られる位置が方向変換部５から離れるので、これを防ぐ手段とするものである。
【００１４】  図２は本発明に係る筋肉トレーニング器の別の態様の形態を示す側面図である。図２に示す筋肉トレーニング器は足置き部材１の上面に足置き部３を形成し、裏面に脚１２を形成して底部を床面１３から上げて、裏面に伸縮部材取り付け部４を形成し、該伸縮部材取り付け部４に伸縮部材２を取り付け、該伸縮部材２に連結部６と足掛け部７を形成したものである。この態様においては、方向変換部５は足掛け部材１の端部面１４がその役割を担っており、使用する際には連結部６を足掛け部材１の裏面から上に出して、端部面１４に宛がい、ここを支点として方向を変換するものである。この様に足置き部材１の端部面１４も方向変換部５として使用することができる。この場合、端部面１４の形状は任意であり、内側に窪んでいても良いし、外側に突出していても良い。又、勿論のこと、他に任意の方向変換部を形成しても良い。
【００１５】  図３は本発明に係る筋肉トレーニング器の別の態様の形態を示す平面図である。図３に示す筋肉トレーニング器は足置き部３の端部８と方向変換部５の端部８との間隔が平面上で２０ｃｍ以上であることを示すものである。この場合、両方の端部は相互間で最も離れた部分を示す。なぜこの様にするかと云えば、前述の足掛け部７において、足掛け部７を方向変換部５から連結部材６において５０ｃｍ以内に形成すると規定しているためである。規定していない場合には足置き部３と方向変換部５との間隔は任意であるが、規定しているので足置き部３と方向変換部５も使用勝手の点から規定するものである。使用する際、足掛け部７と足置き部３とが離れた位置に有ることも必要となる為、少なくとも２０ｃｍ以上を要すると規定するものである。実施上、この端部間隔は６０ｃｍ程度までが好ましい。
【００１６】  図４は本発明に係る筋肉トレーニング器の別の態様の構造を示す斜視図（ａ）と（ｂ）である。図４（ａ）は足置き部材１に孔９を開け、該孔９に伸縮部材２を嵌め合わせて取り付けたものである。この場合、孔９が伸縮部材取り付け部となる。（ｂ）は足置き部材１に棒状部材１０を取り付けて、伸縮部材取り付け部とし、該棒状部材１０にリング状の接続部材１１を取り付け、該接続部材１１に伸縮部材２を取り付けたものである。この様に伸縮部材２の伸縮部材取り付け部への取り付け方法は直接であっても、間接であってもどちらでも構わない。又、実施上、接続部材１１の形状及び材質は任意である。
【００１７】  図５は本発明に係る筋肉トレーニング器の別の態様の構造を示す斜視図（ａ）と（ｂ）である。図５（ａ）は硬質のバネ材をコイル状に巻いて伸縮部材２を形成し、連結部材６を取り付けたものである。（ｂ）は軟質のゴム材からなる紐状の伸縮部材２に連結部材６を取り付けたものである。
【発明の効果】
【００１８】  本発明に係る筋肉トレーニング器に依れば、足腰の運動を立体的に行うことができるので、足腰の筋肉の全体に亘る強化とスリム化に極めて大きな効果を得ることができる。
【図面の簡単な説明】
【図１】  本発明の一態様に係る筋肉トレーニング器の形態を示す斜視図（ａ）と側面図（ｂ）である。
【図２】  本発明の一態様に係る筋肉トレーニング器の形態を示す側面図である。
【図３】  本発明の一態様に係る筋肉トレーニング器の一部分を示す平面図である。
【図４】  本発明の一態様に係る筋肉トレーニング器の一部分の形態を示す斜視図（ａ）と（ｂ）である。
【図５】  本発明の一態様に係る筋肉トレーニング器の一部分の形態を示す側面図（ａ）と（ｂ）である。
【符号の説明】
１、足置き部材
２、伸縮部材
３、足置き部
４、伸縮部材取り付け部
５、方向変換部
６、連結部材
７、足掛け部
８、端部
９、孔
１０、棒状部材
１１、接続部材
１２、脚
１３、床面
１４、端部面
【図１】
2008264472.tif 000003
【図２】
2008264472.tif 000004
【図３】
2008264472.tif 000005
【図４】
2008264472.tif 000006
【図５】
2008264472.tif 000007